(57)【要約】【課題】津波による被害を可及的に蒙りにくい構造を備えた屋外設置型のタンクの提供。【解決手段】沿岸部の地上の屋外に設置されるタンクである。タンク本体１と、このタンク本体１を内部に納める格納体２とからなる。この格納体２の少なくとも側壁部２ａは、水平断面において、長さと幅とを備えた外郭形状を有すると共に、その一端２ｅ側から中央部２ｇに向けて幅を漸増し、かつ、この中央部２ｇから他端２ｆ側に向けて幅を漸減するようになっている。この格納体２の前記一端２ｅ又は他端２ｆのいずれか一方を津波の侵入が予想される側に向けるようにして設置される。【選択図】図１
2013001407.tif 000002
【特許請求の範囲】
【請求項１】
沿岸部の地上の屋外に設置されるタンクであって、
タンク本体と、
このタンク本体を内部に納める格納体とからなり、
この格納体の少なくとも側壁部は、水平断面において、長さと幅とを備えた外郭形状を有すると共に、その一端側から中央部に向けて幅を漸増し、かつ、この中央部から他端側に向けて幅を漸減するようになっており、
しかも、この格納体の前記一端又は他端のいずれか一方を津波の侵入が予想される側に向けるようにして設置されることを特徴とする対津波タンク。
【請求項２】
格納体は、その一端側から中央部に向けて高さを漸増し、かつ、この中央部からその他端側に向けて高さを漸減するように構成されていることを特徴とする請求項１に記載の対津波タンク。
【請求項３】
タンク本体及び格納体はコンクリート製の基礎上に設置されると共に、このタンク本体と格納体との間に充填されたコンクリートにより前記基礎と一体をなす耐力部を備えてなることを特徴とする請求項１又は請求項２に記載の対津波タンク。
【発明の詳細な説明】
【技術分野】
【０００１】
この発明は、屋外設置型のタンクの改良に関する。
【背景技術】
【０００２】
燃料や水などの貯蔵のために沿岸部の地上の屋外に設置されるタンクは、津波の被害を蒙りやすい。平成２３年（２０１１年）３月１１日に発生した東北地方太平洋沖地震においては、沿岸部に設置された各種のタンクが破壊や流出の被害を被った。
【発明の概要】
【発明が解決しようとする課題】
【０００３】
この発明が解決しようとする主たる問題点は、津波による被害を可及的に蒙りにくい構造を備えた屋外設置型のタンクを提供する点にある。
【課題を解決するための手段】
【０００４】
前記課題を達成するために、この発明にあっては、対津波タンクを、沿岸部の地上の屋外に設置されるタンクであって、
タンク本体と、
このタンク本体を内部に納める格納体とからなり、
この格納体の少なくとも側壁部は、水平断面において、長さと幅とを備えた外郭形状を有すると共に、その一端側から中央部に向けて幅を漸増し、かつ、この中央部から他端側に向けて幅を漸減するようになっており、
しかも、この格納体の前記一端又は他端のいずれか一方を津波の侵入が予想される側に向けるようにして設置されるものとした。
【０００５】
かかる対津波タンクは、津波が侵入してきた場合、この侵入が予想される側に前記一端又は他端を向けた格納体の形状によってこの津波によりこの格納体に作用される力を軽減することができる。また、かかる格納体における津波の侵入が予想される側と反対の側にもこの格納体の前記一端又は他端が向けられることから、津波の引き波時にもこの引き波により格納体に作用される力を軽減させることができる。前記格納体がさらに、その一端側から中央部に向けて高さを漸増し、かつ、この中央部からその他端側に向けて高さを漸減する形状を持つようにしておけば、津波の押し波時及び引き波時に格納体に作用される力をより効果的に軽減させることができる。また、前記タンク本体及び格納体をコンクリート製の基礎上に設置されると共に、このタンク本体と格納体との間に充填されたコンクリートにより前記基礎と一体をなす耐力部を備えさせるようにしておけば、この耐力部により、格納体に作用される力はタンク本体に直接作用されず、また、漂流物などが格納体に衝突した場合の衝撃力もタンク本体に直接作用されないようにすることができる。さらに、かかる耐力部により、地震時にもタンク本体の転倒などを生じさせることはない。また、タンク本体は格納体と耐力部によって二重に防護されることから、タンク本体に貯蔵された典型的には燃料や水などの漏れだしも可及的に防止される。
【発明の効果】
【０００６】
この発明にかかる対津波タンクは、簡素な構造でありながら、津波による被害を可及的に蒙りにくい。
【図面の簡単な説明】
【０００７】
【図１】図１は実施の形態にかかる対津波タンクの斜視構成図である。
【図２】図２は図１におけるＡ−Ａ線位置での対津波タンクの断面構成図である。
【図３】図３は図１におけるＢ−Ｂ線位置での対津波タンクの断面構成図である。
【図４】図４は図１〜図４に示される対津波タンクと形状を異ならせる対津波タンクの他の実施例の斜視構成図である。
【図５】図５は図４におけるＣ−Ｃ線位置での対津波タンクの断面構成図である。
【図６】図６は図４におけるＤ−Ｄ線位置での対津波タンクの断面構成図である。
【発明を実施するための形態】
【０００８】
以下、図１〜図６に基づいて、この発明の典型的な実施の形態について、説明する。この実施の形態にかかる対津波タンクは、燃料や水などを沿岸部の地上の屋外において貯蔵するために用いられるものであって、特に津波による被害を可及的に蒙りにくい構造を備えたものである。
【０００９】
かかる対津波タンクは、タンク本体１と、その格納体２と、耐力部３とを備えている。
【００１０】
タンク本体１は、内部を前記燃料などの貯蔵空間１ａとし、図示の例では、その上部に燃料などの注入口や送出口などの連絡部１ｂを有し、この連絡部１ｂを通じてタンク本体１内の燃料などを外部に送り出したり、かかる燃料などをタンク本体１内に送り込むことができるようになっている。図示の例では、前記連絡部１ｂは前記耐力部３を貫通して格納体２の上部にその端末１ｃを配している。タンク本体１は、典型的には、鋼鉄製とされる。タンク本体１は、その底部１ｄを、対津波タンクを設置する箇所の地盤Ｇに形成されたコンクリート製の基礎４上に載置固定させる。
【００１１】
格納体２は前記基礎４上に構築設置されてタンク本体１を内部に納める構造物である。図１〜図３に示される例では、かかる格納体２はプレキャストセグメント２ｂを組み合わせてなるコンクリート構造物によって構成されている。一方、図４〜図６に示される例では、かかる格納体２は鋼鉄製の構造物によって構成されている。
【００１２】
耐力部３は、前記のように設置されたタンク本体１と格納体２との間にコンクリートを充填することで形成され、前記基礎４と一体をなす。かかる耐力部３は格納体２をいわばコンクリートの型枠としてタンク本体１の外側に打ち込まれるコンクリートによって形成される。典型的には、耐力部３は鉄筋（図示は省略する。）により強化される。図示の例では、耐力部３は、タンク本体１の底部１ｄを除く全周を覆っているが、耐力部３を構成するコンクリートの荷重は前記打ち込み後の硬化によって前記基礎４に受けられるようになりタンク本体１には作用されることはない。
【００１３】
前記格納体２における少なくとも側壁部２ａは、水平断面（図３、図６）において、長さと幅とを備えた外郭形状を有している。それと共に、かかる格納体２における少なくとも側壁部２ａは、その一端２ｅ側から中央部２ｇに向けて幅を漸増し、かつ、この中央部２ｇから他端２ｆ側に向けて幅を漸減するようになっている。
【００１４】
図１〜図３に示される例では、格納体２は、水平断面の外郭形状を、その高さ方向のいずれの位置においても同じ大きさの略紡錘形とするように構成されている。この図１〜図３に示される例では、格納体２は、天部２ｃを開放させている。この図１〜図３に示される例では、タンク本体１の上部上に格納体２の天部２ｃが位置されると共に、耐力部３を構成するコンクリートはこの格納体２の天部２ｃの開放縁まで打ち込まれている。
【００１５】
一方、図４〜図６に示される例では、格納体２の中央部２ｇの天部２ｃには、凹所２ｄが形成されており、この凹所２ｄの底に前記連絡部１ｂの端末１ｃが配されている。格納体２は、その底部から前記凹所２ｄの形成位置までの間において、水平断面の外郭形状を、略楕円形とするように構成されている。また、この図４〜図６に示される例では、格納体２の水平断面は、前記凹所２ｄの形成側、つまり、上方側に向かうに連れて、面積を小さくするようになっている。すなわち、この図４〜図６に示される例では、格納体２は、その一端２ｅ側から中央部２ｇに向けて高さを漸増し、かつ、この中央部２ｇからその他端２ｆ側に向けて高さを漸減するように構成されている。
【００１６】
そして、この実施の形態にかかる対津波タンクは、前記格納体２の前記一端２ｅ又は他端２ｆのいずれか一方を津波の侵入が予想される側Ｆに向けるようにして設置される。（図示の例では、各図の左側に位置される格納体の一端２ｅが津波の侵入が予想される側Ｆに向けられている。）
【００１７】
したがって、かかる対津波タンクは、津波が侵入してきた場合、この侵入が予想される側Ｆに前記一端２ｅ又は他端２ｆを向けた格納体２の形状によってこの津波によりこの格納体２に作用される力を軽減することができる。また、かかる格納体２における津波の侵入が予想される側と反対の側にもこの格納体２の前記一端２ｅ又は他端２ｆが向けられることから、津波の引き波時にもこの引き波により格納体２に作用される力を軽減させることができる。図４〜図６に示される例ではさらに、格納体２は、その一端２ｅ側から中央部２ｇに向けて高さを漸増し、かつ、この中央部２ｇからその他端２ｆ側に向けて高さを漸減するようになっていることから、津波の押し波時及び引き波時に格納体２に作用される力をより効果的に軽減させることができる。また、前記基礎４と一体になった耐力部３により、格納体２に作用される力はタンク本体１に直接作用されず、また、漂流物などが格納体２に衝突した場合の衝撃力もタンク本体１に直接作用されないようにすることができる。さらに、かかる耐力部３により、地震時にもタンク本体１の転倒などを生じさせることはない。また、タンク本体１は格納体２と耐力部３によって二重に防護されることから、タンク本体１に貯蔵された典型的には燃料や水などの漏れだしも可及的に防止される。さらに、かかる耐力部３は、格納体２をいわば型枠として対津波タンクの設置現場において容易に構築でき、最小限の工期をもって対津波タンクは設置可能である。
【符号の説明】
【００１８】
１  タンク本体
２  格納体
２ａ  側壁部
２ｅ  一端
２ｆ  他端
２ｇ  中央部
【図１】
2013001407.tif 000003
【図２】
2013001407.tif 000004
【図３】
2013001407.tif 000005
【図４】
2013001407.tif 000006
【図５】
2013001407.tif 000007
【図６】
2013001407.tif 000008